(57)【要約】【課題】画面表示中でも各部分の温度差が小さい表示装置を提供する。【解決手段】液晶パネル１１の両側に、データ信号線Ｓ１〜Ｓｎに対して１ライン時間ごとに同じレベルの電圧を印加するデータ信号線駆動回路１４、１５を設ける。データ信号線駆動回路１４、１５は、それぞれ、ラッチストローブ信号ＬＳ１、ＬＳ２に従い、データ信号線の上端および下端に印加する電圧を変化させる。ラッチストローブ信号ＬＳ１よりも早いタイミングでラッチストローブ信号ＬＳ２を変化させて、上側のデータ信号線駆動回路１４よりも先に下側のデータ信号線駆動回路１５を動作させる。これにより、データ信号線駆動回路１４の発熱量を減らして、装置の上側の温度を下げ、装置の上側と下側の温度差を小さくする。【選択図】図１
2010049035.tif 000002
【特許請求の範囲】
【請求項１】
データ信号線を両端から駆動するマトリクス型の表示装置であって、
行方向および列方向に並べて配置された複数の画素回路と、
同じ行に配置された画素回路に接続される複数の走査信号線と、
同じ列に配置された画素回路に接続される複数のデータ信号線と、
前記走査信号線を順に選択する走査信号線駆動回路と、
前記データ信号線の一端に対して、映像信号に応じた電圧を１ライン時間ごとに印加する第１のデータ信号線駆動回路と、
前記データ信号線の他端に対して、前記データ信号線の一端に印加される電圧と同じレベルの電圧をより早いタイミングで印加する第２のデータ信号線駆動回路とを備えた、表示装置。
【請求項２】
前記第１のデータ信号線駆動回路は、第１の制御信号に従い、前記データ信号線の一端に印加する電圧を変化させ、
前記第２のデータ信号線駆動回路は、前記第１の制御信号よりも早いタイミングで変化する第２の制御信号に従い、前記データ信号線の他端に印加する電圧を変化させることを特徴とする、請求項１に記載の表示装置。
【請求項３】
前記第１および第２のデータ信号線駆動回路は、
順次入力される映像信号を記憶するサンプリングメモリと、
前記サンプリングメモリに記憶された映像信号を指示されたタイミングで一括して保持するホールドメモリと、
前記ホールドメモリに保持された映像信号をアナログ信号に変換するＤ／Ａ変換回路とを含み、
前記第１および第２のデータ信号線駆動回路に含まれるホールドメモリは、それぞれ、前記第１および第２の制御信号に従い動作することを特徴とする、請求項２に記載の表示装置。
【請求項４】
前記画素回路を含む表示パネルと前記第１および第２のデータ信号線駆動回路とは同じ筐体に内蔵されており、
前記第１のデータ信号線駆動回路は前記表示パネルの上方に、前記第２のデータ信号線駆動回路は前記表示パネルの下方に配置されていることを特徴とする、請求項１に記載の表示装置。
【請求項５】
複数の画素回路と複数の走査信号線と複数のデータ信号線とを有するマトリクス型の表示装置の駆動方法であって、
前記走査信号線を順に選択するステップと、
前記データ信号線の一端に対して、映像信号に応じた電圧を１ライン時間ごとに印加するステップと、
前記データ信号線の他端に対して、前記データ信号線の一端に印加される電圧と同じレベルの電圧をより早いタイミングで印加するステップとを備えた、表示装置の駆動方法。
【発明の詳細な説明】
【技術分野】
【０００１】
本発明は、液晶表示装置などの表示装置に関し、特に、データ信号線を両端から駆動するマトリクス型の表示装置、および、その駆動方法に関する。
【背景技術】
【０００２】
マトリクス型の表示装置は、走査信号線を順に選択し、データ信号線に対して映像信号に応じた電圧（以下、データ電圧という）を印加することにより、表示パネル内の画素回路にデータ電圧を書き込み、画面表示を行う。以下、マトリクス型の表示装置の例として、液晶表示装置に着目する。
【０００３】
液晶表示装置では、画面の焼き付きを防止するために、液晶に印加する電圧の極性を所定の周期で切り替える交流駆動が行われる。液晶表示装置で行われる交流駆動には、フレーム反転駆動やライン反転駆動やドット反転駆動などがある。液晶テレビのような大型の液晶表示装置では、フリッカー（画面のちらつき）を抑制するために、主としてドット反転駆動が行われる。
【０００４】
従来の多くの液晶表示装置では、データ信号線駆動回路は、液晶パネルの１辺に沿って配置され、データ信号線の一端にデータ電圧を印加する。ところが、大型の液晶表示装置では、データ信号線が長くなるので、データ信号線を一端から駆動しただけでは、データ信号線の電圧を所定時間内に所望のレベルに到達させることが困難になる。
【０００５】
この問題を解決する方法の１つとして、従来から、データ信号線を両端から駆動する方法が知られている（図７を参照）。図７に示す液晶表示装置では、液晶パネル９１の１辺に沿って走査信号線駆動回路９２が配置され、他の対向する２辺に沿って２個のデータ信号線駆動回路９３、９４が配置されている。データ信号線駆動回路９３はデータ信号線ＳＬの上端にデータ電圧を印加し、データ信号線駆動回路９４はデータ信号線ＳＬの下端に同じレベルのデータ電圧を印加する。このように２個の駆動回路を用いてデータ信号線を両端から駆動することにより、データ信号線を高速に駆動することができる。データ信号線を両端から駆動する液晶表示装置については、例えば、特許文献１に記載されている。
【特許文献１】特開２００７−７８９１４号公報
【発明の開示】
【発明が解決しようとする課題】
【０００６】
液晶表示装置では、液晶パネルとその周辺回路は同じ筐体に内蔵される。ここで、そのような液晶表示装置を液晶パネルを垂直に立てた状態で使用する場合を考える（後述する図４を参照）。この場合、画面を表示すると、液晶パネルと周辺回路は発熱し、筐体内の空気は暖められる。このため、筐体内の上部に熱がこもり、液晶表示装置の上側の温度が高くなる。このように特定の部分の温度が高くなると、装置の利用形態が制限されたり、装置の性能が低下したりするなどの不具合が生じる。
【０００７】
それ故に、本発明は、画面表示中でも各部分の温度差が小さいマトリクス型の表示装置を提供することを目的とする。
【課題を解決するための手段】
【０００８】
第１の発明は、データ信号線を両端から駆動するマトリクス型の表示装置であって、
行方向および列方向に並べて配置された複数の画素回路と、
同じ行に配置された画素回路に接続される複数の走査信号線と、
同じ列に配置された画素回路に接続される複数のデータ信号線と、
前記走査信号線を順に選択する走査信号線駆動回路と、
前記データ信号線の一端に対して、映像信号に応じた電圧を１ライン時間ごとに印加する第１のデータ信号線駆動回路と、
前記データ信号線の他端に対して、前記データ信号線の一端に印加される電圧と同じレベルの電圧をより早いタイミングで印加する第２のデータ信号線駆動回路とを備える。
【０００９】
第２の発明は、第１の発明において、
前記第１のデータ信号線駆動回路は、第１の制御信号に従い、前記データ信号線の一端に印加する電圧を変化させ、
前記第２のデータ信号線駆動回路は、前記第１の制御信号よりも早いタイミングで変化する第２の制御信号に従い、前記データ信号線の他端に印加する電圧を変化させることを特徴とする。
【００１０】
第３の発明は、第２の発明において、
前記第１および第２のデータ信号線駆動回路は、
順次入力される映像信号を記憶するサンプリングメモリと、
前記サンプリングメモリに記憶された映像信号を指示されたタイミングで一括して保持するホールドメモリと、
前記ホールドメモリに保持された映像信号をアナログ信号に変換するＤ／Ａ変換回路とを含み、
前記第１および第２のデータ信号線駆動回路に含まれるホールドメモリは、それぞれ、前記第１および第２の制御信号に従い動作することを特徴とする。
【００１１】
第４の発明は、第１の発明において、
前記画素回路を含む表示パネルと前記第１および第２のデータ信号線駆動回路とは同じ筐体に内蔵されており、
前記第１のデータ信号線駆動回路は前記表示パネルの上方に、前記第２のデータ信号線駆動回路は前記表示パネルの下方に配置されていることを特徴とする。
【００１２】
第５の発明は、複数の画素回路と複数の走査信号線と複数のデータ信号線とを有するマトリクス型の表示装置の駆動方法であって、
前記走査信号線を順に選択するステップと、
前記データ信号線の一端に対して、映像信号に応じた電圧を１ライン時間ごとに印加するステップと、
前記データ信号線の他端に対して、前記データ信号線の一端に印加される電圧と同じレベルの電圧をより早いタイミングで印加するステップとを備える。
【発明の効果】
【００１３】
上記第１の発明によれば、２個のデータ信号線駆動回路を用いてデータ信号線を両端から駆動するときに、第１のデータ信号線駆動回路よりも先に第２のデータ信号線駆動回路を動作させることにより、第２のデータ信号線駆動回路の発熱量を増やし、第１のデータ信号線駆動回路の発熱量を減らすことができる。したがって、装置の構造上、２個のデータ信号線駆動回路の近傍の温度が異なる場合でも、２個のデータ信号線駆動回路の発熱量を好適に調整し、温度差を小さくすることができる。
【００１４】
上記第２の発明によれば、２個のデータ信号線駆動回路がそれぞれに供給される制御信号に従いデータ信号線の端に印加する電圧を変化させるときに、第１のデータ信号線駆動回路に対する制御信号よりも早いタイミングで第２のデータ信号線駆動回路に対する制御信号を変化させることにより、第１のデータ信号線駆動回路よりも先に第２のデータ信号線駆動回路を動作させることができる。これにより、装置の構造上、２個のデータ信号線駆動回路の近傍の温度が異なる場合でも、２個のデータ信号線駆動回路の発熱量を好適に調整し、温度差を小さくすることができる。
【００１５】
上記第３の発明によれば、２個のデータ信号線駆動回路がサンプリングメモリとホールドメモリとＤ／Ａ変換回路を含むときに、第１のデータ信号線駆動回路に含まれるホールドメモリに対する制御信号よりも早いタイミングで、第２のデータ信号線駆動回路に含まれるホールドメモリに対する制御信号を変化させることにより、第１のデータ信号線駆動回路よりも先に第２のデータ信号線駆動回路を動作させることができる。これにより、装置の構造上、２個のデータ信号線駆動回路の近傍の温度が異なる場合でも、２個のデータ信号線駆動回路の発熱量を好適に調整し、温度差を小さくすることができる。
【００１６】
上記第４の発明によれば、表示パネルと２個のデータ信号線駆動回路を同じ筐体に内蔵した表示装置では、筐体内の上部に熱がこもり、表示装置の上側の温度が高くなるが、表示パネルの上側に配置された第１のデータ信号線駆動回路よりも先に、表示パネルの下側に配置された第２のデータ信号線駆動回路を動作させることにより、第１のデータ信号線駆動回路の発熱量を減らすことができる。これにより、表示装置の上側の温度を下げて、表示装置の上側と下側の温度差を小さくすることができる。
【００１７】
上記第５の発明によれば、データ信号線を両端から駆動するときに、データ信号線の一端に電圧を印加する回路よりも先にデータ信号線の他端に電圧を印加する回路を動作させることにより、後者の回路の発熱量を増やし、前者の回路の発熱量を減らすことができる。したがって、装置の構造上、データ信号線の両端の近傍の温度が異なる場合でも、データ信号線に電圧を印加する２個の回路の発熱量を好適に調整し、温度差を小さくすることができる。
【発明を実施するための最良の形態】
【００１８】
図１は、本発明の実施形態に係る液晶表示装置の構成を示すブロック図である。図１に示す液晶表示装置１０は、マトリクス型の表示装置の一種であり、液晶パネル１１、表示制御回路１２、走査信号線駆動回路１３、および、データ信号線駆動回路１４、１５を備えている。以下、ｍおよびｎは２以上の整数、ｉは１以上ｍ以下の整数、ｊは１以上ｎ以下の整数であるとする。
【００１９】
図１に示すように、液晶パネル１１は、（ｍ×ｎ）個の画素回路Ｐ、ｍ本の走査信号線Ｇ１〜Ｇｍ、および、ｎ本のデータ信号線Ｓ１〜Ｓｎを含んでいる。画素回路Ｐは、行方向（図１では横方向）にｎ個ずつ、列方向（図１では縦方向）にｍ個ずつ並べて配置される。走査信号線Ｇ１〜Ｇｍは、行方向に伸延し、列方向に並べて互いに平行に配置される。データ信号線Ｓ１〜Ｓｎは、列方向に伸延し、走査信号線Ｇ１〜Ｇｍと直交するように、行方向に並べて互いに平行に配置される。ｉ行目に配置されたｎ個の画素回路Ｐはいずれも走査信号線Ｇｉに接続され、ｊ列目に配置されたｍ個の画素回路Ｐはいずれもデータ信号線Ｓｊに接続される。
【００２０】
表示制御回路１２は、液晶表示装置１０の動作を制御する。より詳細には、表示制御回路１２は、外部から供給された映像信号と制御信号（いずれも図示せず）に基づき、走査信号線駆動回路１３に対してタイミング制御信号Ｃｇを出力し、データ信号線駆動回路１４に対してラッチストローブ信号ＬＳ１、極性反転信号ＲＥＶ１、それ以外のタイミング制御信号Ｃｓおよび映像信号ＶＤを出力し、データ信号線駆動回路１５に対してラッチストローブ信号ＬＳ２、極性反転信号ＲＥＶ２、それ以外のタイミング制御信号Ｃｓおよび映像信号ＶＤを出力する。タイミング制御信号Ｃｇにはゲートスタートパルスやゲートクロックなどが含まれ、タイミング制御信号Ｃｓにはソーススタートパルスやソースクロックなどが含まれる。
【００２１】
走査信号線駆動回路１３は、タイミング制御信号Ｃｇに基づき、走査信号線Ｇ１〜Ｇｍを順に選択する。より詳細には、走査信号線駆動回路１３は、タイミング制御信号Ｃｇに基づき、１ライン時間ごとに走査信号線Ｇ１〜Ｇｍの中から１本の走査信号線を選択し、選択した走査信号線には選択電圧（例えば、ハイレベル電圧）を印加し、それ以外の走査信号線には非選択電圧（例えば、ローレベル電圧）を印加する。
【００２２】
データ信号線駆動回路１４、１５は、同じ回路であり、いずれもｎ本の出力端子を有する。データ信号線駆動回路１４は、液晶パネル１１の一辺（上側の辺）に添って配置され、データ信号線Ｓ１〜Ｓｎの上端に接続される。データ信号線駆動回路１５は、液晶パネル１１の対向する辺（下側の辺）に添って配置され、データ信号線Ｓ１〜Ｓｎの下端に接続される。
【００２３】
データ信号線駆動回路１４、１５は、並列に動作し、それぞれｎ個のデータ電圧を出力する。データ信号線駆動回路１４は、ラッチストローブ信号ＬＳ１、極性反転信号ＲＥＶ１、タイミング制御信号Ｃｓおよび映像信号ＶＤに基づき、１ライン時間ごとにデータ信号線Ｓ１〜Ｓｎの上端に対してデータ電圧を印加する。データ信号線駆動回路１５は、ラッチストローブ信号ＬＳ２、極性反転信号ＲＥＶ２、タイミング制御信号Ｃｓおよび映像信号ＶＤに基づき、１ライン時間ごとにデータ信号線Ｓ１〜Ｓｎの下端に対してデータ電圧を印加する。データ信号線駆動回路１５は、データ信号線駆動回路１４がデータ信号線Ｓ１〜Ｓｎの上端に対して印加する電圧と同じレベルの電圧をデータ信号線Ｓ１〜Ｓｎの下端に対して印加する。
【００２４】
走査信号線駆動回路１３の作用により、１ライン時間ごとに１本の走査信号線が選択され、１行分の画素回路Ｐが電圧書き込み可能な状態になる。また、データ信号線駆動回路１４、１５の作用により、１ライン時間ごとにデータ信号線Ｓ１〜Ｓｎに対してｎ個のデータ電圧が印加される。これにより、走査信号線駆動回路１３が選択した走査信号線に接続された画素回路Ｐに、データ信号線駆動回路１４、１５が印加したデータ電圧が書き込まれる。液晶パネル１１の画素の輝度は、画素回路Ｐに書き込まれた電圧に応じて変化する。これにより、液晶表示装置１０は画像を表示する。なお、データ信号線駆動回路１４、１５を用いてデータ信号線Ｓ１〜Ｓｎを両端から駆動する理由は、データ信号線Ｓ１〜Ｓｎの電圧を短時間で所望のレベルに変化させるためである。
【００２５】
図２は、データ信号線駆動回路１４の詳細を示すブロック図である。図２に示すように、データ信号線駆動回路１４は、シフトレジスタ２１、映像信号受信回路２２、サンプリングメモリ２３、ホールドメモリ２４、階調電圧生成回路２５、レベルシフタ２６、Ｄ／Ａ変換回路２７、および、出力回路２８を含んでいる。以下、映像信号ＶＤはＲＧＢ各８ビットの信号であるとし、ｎ／３をｑと記載する。
【００２６】
シフトレジスタ２１は、ｑ段のシフトレジスタである。シフトレジスタ２１の各段にはソースクロックＳＣＫが入力され、初段にはソーススタートパルスＳＳＰが入力される。シフトレジスタ２１は、ソースクロックＳＣＫに従い、ソーススタートパルスＳＳＰを順にシフトする。１ライン時間はソースクロックＳＣＫのｑ周期よりも長く、ソーススタートパルスＳＳＰは１ライン時間の最初の部分でソースクロックＳＣＫの１周期分だけハイレベルになる。このため、シフトレジスタ２１の各段の出力は、１ライン時間内にソースクロックＳＣＫの１周期分だけ順にハイレベルになる。
【００２７】
映像信号受信回路２２は、表示制御回路１２から出力された映像信号ＶＤに基づき、ＲＧＢ各８ビットの映像データを出力する。より詳細には、映像信号受信回路２２には、差動クロック信号ＣＫ＋、ＣＫ−、および、差動映像信号ＶＲ３＋〜ＶＲ０＋、ＶＲ３−〜ＶＲ０−、ＶＧ３＋〜ＶＧ０＋、ＶＧ３−〜ＶＧ０−、ＶＢ３＋〜ＶＢ０＋、ＶＢ３−〜ＶＢ０−が入力される。映像信号受信回路２２は、差動クロック信号ＣＫ＋、ＣＫ−に従い、差動映像信号ＶＲ３＋〜ＶＲ０＋、ＶＲ３−〜ＶＲ０−で表される４ビットのデータを２回取り込むことにより、赤色の階調を表す８ビットのＲ映像データを求める。同様の方法で、映像信号受信回路２２は、８ビットのＧ映像データとＢ映像データを求める。
【００２８】
サンプリングメモリ２３とホールドメモリ２４は、いずれも、８ビットの映像データをｎ個記憶するメモリである。シフトレジスタ２１の第ｋ段（ｋは１以上ｑ以下の整数）の出力がハイレベルであるとき、サンプリングメモリ２３は、映像信号受信回路２２で求めたＲＧＢ各８ビットの映像データをメモリ内のｋ番目の位置に記憶する。映像信号受信回路２２は１ライン時間にｎ個の映像データを出力し、ｎ個の映像データはすべてサンプリングメモリ２３に記憶される。ホールドメモリ２４は、サンプリングメモリ２３に記憶されたｎ個の映像データをラッチストローブ信号ＬＳ１の立ち上がりで一括して保持する。
【００２９】
階調電圧生成回路２５には、外部から９個の正極性電圧ＶＨ２５５、ＶＨ２４０、…、ＶＨ８、ＶＨ０と９個の負極性電圧ＶＬ２５５、ＶＬ２４０、…、ＶＬ８、ＶＬ０とが供給される。階調電圧生成回路２５は、供給された９個の正極性電圧を抵抗分割することにより、２５６個の正極性の階調電圧を生成する。また、階調電圧生成回路２５は、供給された９個の負極性電圧を抵抗分割することにより、２５６個の負極性の階調電圧を生成する。生成された５１２個の階調電圧は、Ｄ／Ａ変換回路２７に供給される。
【００３０】
レベルシフタ２６は、外部から供給されたアナログ電源電圧Ｖａに合わせて、ホールドメモリ２４の出力電圧をレベルシフトする。Ｄ／Ａ変換回路２７は、レベルシフタ２６の出力をアナログ信号に変換する。より詳細には、Ｄ／Ａ変換回路２７には、電圧の極性を反転するか否かを示す極性反転信号ＲＥＶ１（１ビット）が供給される。Ｄ／Ａ変換回路２７は、極性反転信号ＲＥＶ１とホールドメモリ２４の出力信号（８ビット）に基づき、階調電圧生成回路２５で生成された５１２個の階調電圧の中から１個の電圧を選択して出力する。
【００３１】
出力回路２８は、オペアンプと出力バッファで構成されたボルテージフォロアであり、Ｄ／Ａ変換回路２７とデータ信号線駆動回路１４の電圧出力端子との間に設けられる。データ信号線駆動回路１４の電圧出力端子からは、階調電圧生成回路２５で生成された５１２個の階調電圧のうち、Ｄ／Ａ変換回路２７で選択された電圧が出力される。
【００３２】
このようにデータ信号線駆動回路１４は、順次入力される映像信号ＶＤを記憶するサンプリングメモリ２３と、サンプリングメモリ２３に記憶された映像信号を指示されたタイミングで一括して保持するホールドメモリ２４と、ホールドメモリ２４に保持された映像信号をアナログ信号に変換するＤ／Ａ変換回路２７とを含んでいる。データ信号線駆動回路１４に含まれるホールドメモリ２４は、ラッチストローブ信号ＬＳ１に従い動作する。
【００３３】
データ信号線駆動回路１５の内部構造は、データ信号線駆動回路１４と同じである。ただし、データ信号線駆動回路１５には、ラッチストローブ信号ＬＳ１と極性反転信号ＲＥＶ１に代えて、ラッチストローブ信号ＬＳ２と極性反転信号ＲＥＶ２が供給される。
【００３４】
データ信号線駆動回路１４、１５は、フレーム反転駆動とドット反転駆動を行う。図３は、液晶表示装置１０における画素回路Ｐに対する書き込み電圧の極性を示す図である。図３において、矩形は画素回路を表し、矩形内の文字は画素回路に対する書き込み電圧の極性を表す。図３に示すように、画素回路は市松模様状に２つのグループに分けられる。以下、左上の画素回路が属するグループを第１グループ、もう一方のグループを第２グループという。奇数番目のフレームでは、第１グループ内の画素回路には正極性電圧が書き込まれ、第２グループ内の画素回路には負極性電圧が書き込まれる。偶数番目のフレームでは、第１グループ内の画素回路には負極性電圧が書き込まれ、第２グループ内の画素回路には正極性電圧が書き込まれる。ドット反転駆動を行うために、データ信号線駆動回路１４、１５は、隣接するデータ信号線Ｓ１〜Ｓｎに対して異なる極性の電圧を印加すると共に、データ信号線Ｓ１〜Ｓｎに印加する電圧の極性を１ライン時間ごとに切り替える。
【００３５】
図４は、液晶表示装置１０を含む液晶テレビの外観図である。図４に示す液晶テレビでは、垂直に立てられた液晶パネル１１に画面が表示される。液晶パネル１１と液晶パネル１１の周辺回路（表示制御回路１２、走査信号線駆動回路１３およびデータ信号線駆動回路１４、１５）は、筐体３１に内蔵される。データ信号線駆動回路１４は、データ信号線Ｓ１〜Ｓｎの上端にデータ電圧を印加するために、液晶パネル１１の上方に配置される。データ信号線駆動回路１５は、データ信号線Ｓ１〜Ｓｎの下端にデータ電圧を印加するために、液晶パネル１１の下方に配置される。
【００３６】
上述したように、データ信号線駆動回路１４、１５は、データ信号線Ｓ１〜Ｓｎの両端に同じレベルの電圧を印加する。ただし、データ信号線駆動回路１４がデータ信号線Ｓ１〜Ｓｎの上端にデータ電圧を印加するタイミングと、データ信号線駆動回路１５がデータ信号線Ｓ１〜Ｓｎの下端にデータ電圧を印加するタイミングとは異なっている。具体的には、前者よりも後者のタイミングのほうが早く、データ信号線駆動回路１５はデータ信号線駆動回路１４よりも早いタイミングでデータ電圧を印加する。以下、液晶表示装置１０の上記特徴について説明する。
【００３７】
データ信号線駆動回路１４では、サンプリングメモリ２３に記憶されたｎ個の映像データは、ラッチストローブ信号ＬＳ１の立ち上がりでホールドメモリ２４に一括して転送される。このため、データ信号線Ｓ１〜Ｓｎの上端に印加されるデータ電圧は、ラッチストローブ信号ＬＳ１の立ち上がりで変化する。また、データ信号線Ｓ１〜Ｓｎの上端に印加されるデータ電圧の極性は、極性反転信号ＲＥＶ１が変化したときに変化する。したがって、データ信号線Ｓ１〜Ｓｎの上端に印加されるデータ電圧は、ラッチストローブ信号ＬＳ１または極性反転信号ＲＥＶ１が変化したときに変化する。同様に、データ信号線Ｓ１〜Ｓｎの下端に印加されるデータ電圧は、ラッチストローブ信号ＬＳ２または極性反転信号ＲＥＶ２が変化したときに変化する。
【００３８】
表示制御回路１２は、図１に示すように、信号生成回路１６と遅延回路１７を含んでいる。信号生成回路１６は、外部から供給された映像信号と制御信号に基づき、走査信号線駆動回路１３およびデータ信号線駆動回路１４、１５に供給する信号を生成する。信号生成回路１６で生成された信号のうち、ラッチストローブ信号と極性反転信号はそれぞれ２つの信号に分岐する。分岐した信号の一方は、ラッチストローブ信号ＬＳ２および極性反転信号ＲＥＶ２として、そのままデータ信号線駆動回路１５に対して出力される。分岐した信号の他方は、遅延回路１７で所定の時間ΔＴだけ遅れ、ラッチストローブ信号ＬＳ１および極性反転信号ＲＥＶ１としてデータ信号線駆動回路１４に対して出力される。
【００３９】
図５は、液晶表示装置１０におけるラッチストローブ信号と極性反転信号の変化を示す信号波形図である。図５に示すように、ラッチストローブ信号ＬＳ１、ＬＳ２は１ライン時間に１回の周期で立ち上がり、極性反転信号ＲＥＶ１、ＲＥＶ２はラッチストローブ信号ＬＳ１、ＬＳ２の立ち上がりより少し前に変化する。
【００４０】
遅延回路１７の作用により、ラッチストローブ信号ＬＳ１と極性反転信号ＲＥＶ１は、それぞれ、ラッチストローブ信号ＬＳ２と極性反転信号ＲＥＶ２よりも時間ΔＴだけ遅れて変化する。言い換えると、ラッチストローブ信号ＬＳ２と極性反転信号ＲＥＶ２は、ラッチストローブ信号ＬＳ１と極性反転信号ＲＥＶ１よりも時間ΔＴだけ早いタイミングで変化する。データ信号線駆動回路１４は、ラッチストローブ信号ＬＳ１と極性反転信号ＲＥＶ１に従い、データ信号線Ｓ１〜Ｓｎの上端に印加する電圧を変化させ、データ信号線駆動回路１５は、ラッチストローブ信号ＬＳ２と極性反転信号ＲＥＶ２に従い、データ信号線Ｓ１〜Ｓｎの下端に印加する電圧を変化させる。したがって、データ信号線駆動回路１５は、データ信号線駆動回路１４がデータ信号線Ｓ１〜Ｓｎの上端にデータ電圧を印加するよりも早いタイミングで、データ信号線Ｓ１〜Ｓｎの下端にデータ電圧を印加する。
【００４１】
図６は、液晶表示装置１０においてデータ信号線に印加される電圧の変化を示す図である。ここでは、データ信号線Ｓｊに印加される電圧の極性が負から正に変化する場合について説明する。初期状態ＳＴ０では、データ信号線駆動回路１４はデータ信号線Ｓｊの上端に負極性のデータ電圧を印加し、データ信号線駆動回路１５はデータ信号線Ｓｊの下端に負極性のデータ電圧を印加する。このときデータ信号線Ｓｊに印加された負極性のデータ電圧は、データ信号線Ｓｊとハイレベルの選択電圧が印加された走査信号線Ｇｉとに接続された画素回路に書き込まれる。
【００４２】
ラッチストローブ信号ＬＳ２が立ち上がると、データ信号線駆動回路１５はデータ信号線Ｓｊの下端に正極性のデータ電圧を印加する（図６の状態ＳＴ１）。このときデータ信号線駆動回路１４は、データ信号線Ｓｊの上端に負極性のデータ電圧を印加し続ける。このため、データ信号線Ｓｊの電圧は、上端に印加された負極性のデータ電圧と下端に印加された正極性のデータ電圧の中間電圧に変化する。
【００４３】
ラッチストローブ信号ＬＳ２の立ち上がりから時間ΔＴが経過すると、ラッチストローブ信号ＬＳ１が立ち上がる。これ以降、データ信号線駆動回路１４は、データ信号線Ｓｊの上端に正極性のデータ電圧を印加する（図６の状態ＳＴ２）。このときデータ信号線Ｓｊに印加されたデータ電圧は、データ信号線Ｓｊとハイレベルの選択電圧が印加された走査信号線Ｇｉ＋１とに接続された画素回路に書き込まれる。
【００４４】
以下、データ信号線の両端に印加するデータ電圧を同じタイミングで変化させる液晶表示装置（以下、従来の液晶表示装置という）と対比して、データ信号線の両端に印加するデータ電圧を異なるタイミングで変化させる本実施形態に係る液晶表示装置１０の効果を説明する。
【００４５】
従来の液晶表示装置では、２個のデータ信号線駆動回路は同じタイミングで動作するので、２個のデータ信号線駆動回路の発熱量（消費電力）はほぼ等しくなる。従来の液晶表示装置を図４に示す状態で使用した場合、筐体３１内の上部に熱がこもる。このため、従来の液晶表示装置では、装置の上側の温度が下側の温度よりも高くなり、これに伴う不具合が生じる。
【００４６】
これに対して、本実施形態に係る液晶表示装置１０では、液晶パネル１１の上側に配置されたデータ信号線駆動回路１４よりも先に、液晶パネル１１の下側に配置されたデータ信号線駆動回路１５が動作する（図６を参照）。データ信号線駆動回路１５は、データ信号線駆動回路１４が動作するまでは単独で動作し、データ信号線Ｓｊの電圧を初期電圧から中間電圧まで変化させる。その後にデータ信号線駆動回路１４が動作し、データ信号線駆動回路１４、１５はデータ信号線Ｓｊの電圧を中間電圧から最終電圧まで変化させる。このため、データ信号線駆動回路１５の発熱量（消費電力）は、従来の液晶表示装置に含まれるデータ信号線駆動回路よりも多くなる。また、データ信号線駆動回路１５の発熱量が多くなった分だけ、データ信号線駆動回路１４の発熱量は少なくなる。
【００４７】
したがって、装置の構造上、装置の上側の温度が装置の下側の温度より高くなる場合でも、データ信号線駆動回路１４の発熱量を減らすことにより、装置の上側の温度を下げ、装置の上側と下側の温度差を小さくすることができる。このように本実施形態に係る液晶表示装置１０によれば、装置の構造上、２個のデータ信号線駆動回路１４、１５の近傍の温度が異なる場合でも、２個のデータ信号線駆動回路１４、１５の発熱量を好適に調整し、温度差を小さくすることができる。
【００４８】
なお、以上の説明では、データ信号線駆動回路１４、１５はフレーム反転駆動とドット反転駆動を行うこととしたが、２個のデータ信号線駆動回路は予め定められた任意の方法でデータ信号線を駆動することとしてもよい。また、上記と同様の方法で、液晶表示装置以外の表示装置を構成することもできる。
【図面の簡単な説明】
【００４９】
【図１】本発明の実施形態に係る液晶表示装置の構成を示すブロック図である。
【図２】図１に示す液晶表示装置のデータ信号線駆動回路の詳細を示すブロック図である。
【図３】図１に示す液晶表示装置において画素回路に対する書き込み電圧の極性を示す図である。
【図４】図１に示す液晶表示装置を含む液晶テレビの外観図である。
【図５】図１に示す液晶表示装置におけるラッチストローブ信号と極性反転信号の変化を示す信号波形図である。
【図６】図１に示す液晶表示装置においてデータ信号線に印加される電圧の変化を示す図である。
【図７】従来の液晶表示装置の構成を示すブロック図である。
【符号の説明】
【００５０】
１０…液晶表示装置
１１…液晶パネル
１２…表示制御回路
１３…走査信号線駆動回路
１４、１５、４１…データ信号線駆動回路
１６…信号生成回路
１７…遅延回路
２１…シフトレジスタ
２２…映像信号受信回路
２３…サンプリングメモリ
２４…ホールドメモリ
２５…階調電圧生成回路
２６…レベルシフタ
２７…Ｄ／Ａ変換回路
２８、４２…出力回路
３１…筐体
４３…スイッチ
Ｐ…画素回路
Ｇ１〜Ｇｍ…走査信号線
Ｓ１〜Ｓｎ…データ信号線
ＬＳ１、ＬＳ２…ラッチストローブ信号
ＲＥＶ１、ＲＥＶ２…極性反転信号
Ｃｇ、Ｃｓ…タイミング制御信号
ＶＤ…映像信号
【図１】
2010049035.tif 000003
【図２】
2010049035.tif 000004
【図３】
2010049035.tif 000005
【図４】
2010049035.tif 000006
【図５】
2010049035.tif 000007
【図６】
2010049035.tif 000008
【図７】
2010049035.tif 000009